(57)【要約】      （修正有）【課題】ペット用品の表面にペット固有の識別情報を表示した識別文字列が刺繍により形成され、この識別文字列は夜間に光って見える刺繍糸により刺繍され、夜間、特に夜間の降雨時において使用しても、刺繍が光って見えることにより、車輌運転者に歩行者及びペットの発見をいち早く知らせることができ、交通安全に寄与することができ、かつ、刺繍糸の色や太さ、書体等の選択により各種のペット用品との意匠的な調和も保つことができ、違和感を感じさせることもなく、しかも、ペット固有の識別情報を表示した識別文字列が形成されているので、ペットの連絡先情報を使用することにより、ペットが迷子になったときなどの利便性を高めることができるようにする。【解決手段】ペット用品１の表面にペット固有の識別情報を表示した識別文字列２を刺繍により形成してなり、識別文字列は夜間に光って見える刺繍糸Ｋにより刺繍されてなる。【選択図】図１
0003133022.tif 000002
【実用新案登録請求の範囲】
【請求項１】
ペット用品の表面にペット固有の識別情報を表示した識別文字列を刺繍により形成してなり、上記識別文字列は夜間に光って見える刺繍糸により刺繍されていることを特徴とするペット用品。
【請求項２】
上記刺繍糸は蓄光糸又は蛍光糸、若しくはこれらの複合糸であることを特徴とする請求項１記載のペット用品。
【考案の詳細な説明】
【技術分野】
【０００１】
本考案は例えば犬や猫などに用いられる服、首輪、リードなどのペット用品に関するものである。
【背景技術】
【０００２】
従来、この種のペット用品として、犬や猫などのペットに用いる服、首輪、リードなどが知られている。
【特許文献１】実用新案登録第３１１５８８８号
【考案の開示】
【考案が解決しようとする課題】
【０００３】
これらペット用品を夜間、特に夜間の降雨時において使用したとき、車輌運転者が歩行者及びペットの発見が遅れ、交通事故を引き起こすおそれがあり、このため、反射材からなるステッカーを歩行者やペットの衣服等に貼着若しくは縫着することが提案されている。
【０００４】
しかしながらこの従来構造の場合、反射材からなるステッカーを歩行者やペットの衣服等に貼着したり縫着したりする構造のため、多くの場合、服やハーネス、リードなどとの意匠的な調和が合わず、違和感が感じられることがあるという不都合を有している。
【課題を解決するための手段】
【０００５】
本考案はこれらの不都合を解決することを目的とするもので、本考案のうちで、請求項１記載の考案は、ペット用品の表面にペット固有の識別情報を表示した識別文字列を刺繍により形成してなり、上記識別文字列は夜間に光って見える刺繍糸により刺繍されていることを特徴とするペット用品にある。
【０００６】
又、請求項２記載の考案は、上記刺繍糸は蓄光糸又は蛍光糸、若しくはこれらの複合糸であることを特徴とするものである。
【考案の効果】
【０００７】
本考案は上述の如く、請求項１記載の考案にあっては、ペット用品の表面にペット固有の識別情報を表示した識別文字列が刺繍により形成され、この識別文字列は夜間に光って見える刺繍糸により刺繍され、夜間、特に夜間の降雨時において使用しても、刺繍が光って見えることにより、車輌運転者に歩行者及びペットの発見をいち早く知らせることができ、交通安全に寄与することができ、かつ、識別文字列は刺繍により形成されているから、刺繍糸の色や太さ、書体等の選択により各種のペット用品との意匠的な調和も保つことができ、違和感を感じさせることもなく、しかも、ペット固有の識別情報を表示した識別文字列が形成されているので、例えば、識別文字列として、ペットの連絡先情報を使用することにより、ペットが迷子になったときなどの利便性を高めることができる。
【０００８】
又、請求項２記載の考案にあっては、上記刺繍糸は蓄光糸又は蛍光糸、或いはこれらの複合糸であるから、発光機能をもつ刺繍糸を容易に入手することができ、よって、製作が容易であると共に製作コストを低減することができる。
【考案を実施するための最良の形態】
【０００９】
図１乃至図３は本考案の実施の形態例を示し、図１、図２は第一形態例、図３は第二形態例である。
【００１０】
図１、図２の第一形態例は本考案をペット用品たる犬用の服に適用したものであり、このペット用品１たる犬や猫などのペットＷが着用する服の背中部の表面にペットＷ固有の識別情報を表示した識別文字列２を刺繍により形成し、この識別文字列２は夜間に光って見える刺繍糸Ｋにより刺繍している。
【００１１】
この場合、上記識別文字列２として犬の名前２ａを用いているが、ペットＷの飼い主の名前や飼い主の住所、飼い主の電話番号などの迷子の際の連絡先情報、犬の年齢、犬の種類などのペット固有の識別情報を識別文字列２として用いることもできる。
【００１２】
又、この場合、上記刺繍糸Ｋとしては、蓄光機能をもつ蓄光糸又は蛍光機能をもつ蛍光糸、若しくはこれらの複合糸が用いられ、これら蓄光糸又は蛍光糸、若しくはこれらの複合糸による刺繍によって識別文字列２は夜間に光って見えることになる。
【００１３】
この実施の第一形態例は上記構成であるから、例えば、ペット用品１としての服を犬や猫などのペットＷに着用して散歩するなどに使用したとき、このペット用品１の表面にペット固有の識別情報を表示した識別文字列２が刺繍により形成し、この識別文字列２は夜間に光って見える刺繍糸Ｋにより刺繍されているから、夜間、特に夜間の降雨時において使用しても、刺繍が光って見えることにより、車輌運転者に歩行者及びペットＷの発見をいち早く知らせることができ、交通安全に寄与することができ、かつ、識別文字列２は刺繍により形成されているから、刺繍糸の色や太さ、書体等の選択により各種のペット用品１との意匠的な調和も保つことができ、違和感を感じさせることもなく、しかも、ペット固有の識別情報を表示した識別文字列２が形成されているので、例えば、識別文字列２として、ペットの連絡先情報を使用することにより、ペットが迷子になったときなどの利便性を高めることができる。
【００１４】
又、この場合、上記刺繍糸Ｋは蓄光糸又は蛍光糸、或いはこれらの複合糸であるから、発光機能をもつ刺繍糸を容易に入手することができ、よって、製作が容易であると共に製作コストを低減することができる。
【００１５】
図３の第二形態例は別例構造を示し、この場合、ペット用品１としての犬の首輪に適用したものである。
【００１６】
即ち、ペット用品１としての布製の犬用首輪の表面にペットＷ固有の識別情報を表示した識別文字列２を刺繍により形成し、この識別文字列２は夜間に光って見える刺繍糸Ｋにより刺繍している。
【００１７】
この場合、上記識別文字列２として犬の名前２ａ及び飼い主の電話番号を用いている。
【００１８】
この実施の第二形態例においても、上記第一形態例と同様な作用効果を得ることができる。
【００１９】
尚、本考案は上記実施の形態例に限られるものではなく、例えば、ペット用品としては服や首輪の他にハーネス、リード、帽子、雨具などに適用することもでき、また、刺繍糸Ｋの材質や太さ、色などは適宜変更して設計され、又、識別文字列２も適宜変更して設計される。
【００２０】
以上、所期の目的を充分達成することができる。
【図面の簡単な説明】
【００２１】
【図１】本考案の実施の第一形態例の全体正面図である。
【図２】本考案の実施の第一形態例の使用状態図である。
【図３】本考案の実施の第二形態例の全体正面図である。
【符号の説明】
【００２２】
Ｋ    刺繍糸
１    ペット用品
２    識別文字列
【図１】
0003133022.tif 000003
【図２】
0003133022.tif 000004
【図３】
0003133022.tif 000005